(57)【要約】【課題】所定の移動体情報をクライアント端末に送信することができる移動体情報提供サーバを提供する。【解決手段】移動体情報提供サーバ１０は、移動体を認識する移動体認識装置２０およびクライアント端末３０に通信可能に接続されている。移動体情報提供サーバ１０は、移動体の識別情報に対応づけて移動体情報を記憶した移動体情報データベース１８ａと、移動体認識装置２０が認識した認識情報であって、移動体認識装置２０から送信されてきた情報を受信する受信手段１４ａと、認識情報に基づき、移動体の識別情報を判断する識別情報判断手段１２ａと、識別情報判断手段１２ａにより判断された移動体の識別情報に基づき、移動体情報データベースから移動体情報を読み出す読出手段１２ｂと、読出手段１２ｂが読み出した移動体情報をクライアント端末３０に送信する送信手段１４ｂとを含む。【選択図】図１
2006031224.tif 000002
【特許請求の範囲】
【請求項１】
移動体を認識する移動体認識装置およびクライアント端末に通信可能に接続された移動体情報提供サーバであって、
前記移動体の識別情報に対応づけて移動体情報を記憶した移動体情報データベースと、
前記移動体認識装置が認識した認識情報であって、前記移動体認識装置から送信されてきた情報を受信する受信手段と、
前記認識情報に基づき、移動体の識別情報を判断する識別情報判断手段と、
前記識別情報判断手段により判断された移動体の識別情報に基づき、前記移動体情報データベースから移動体情報を読み出す読出手段と、
前記読出手段が読み出した移動体情報を前記クライアント端末に送信する送信手段とを含む、移動体情報提供サーバ。
【請求項２】
請求項１において、
前記識別情報判断手段が判断した識別情報に対応させて、前記移動体認識装置から送信されてきた認識情報を前記移動体情報データベースに記憶させる記憶制御手段を含む、移動体情報提供サーバ。
【請求項３】
移動体を認識する移動体認識装置およびクライアント端末に通信可能に接続された移動体情報提供サーバであって、
前記移動体認識装置が認識した認識情報であって、前記移動体認識装置から送信されてきた認識情報を受信する受信手段と、
前記受信手段が受信した認識情報に基づき、移動体の識別情報を判断する識別情報判断手段と、
前記識別情報判断手段が判断した識別情報を前記クライアント端末に送信する送信手段とを含む、移動体情報提供サーバ。
【請求項４】
移動体を認識する移動体認識装置およびクライアント端末に通信可能に接続された移動体情報提供サーバであって、
前記移動体認識装置が認識した認識情報であって、前記移動体認識装置から送信されてきた認識情報を受信する第１受信手段と、
前記第１受信手段から受信した認識情報に基づき、移動体の識別情報を判断する識別情報判断手段と、
前記識別情報判断手段が判断した識別情報に対応させて、前記移動体認識装置から送信されてきた認識情報を移動体情報データベースに記憶させる記憶制御手段と、
前記クライアント端末から送信された情報送信要求および移動体を特定し得る情報を受信する第２受信手段と、
前記第２受信手段が受信した移動体を特定し得る情報に基づき、前記移動体情報データベースから該移動体と対応する移動体情報を読み出す読出手段と、
前記読出手段により読出した移動体情報を前記クライアント端末に送信する送信手段と、を含む、移動体情報提供サーバ。
【請求項５】
前記移動体認識装置は、カメラであり、
前記移動体認識装置が前記移動体情報提供サーバに送信する認識情報は、前記カメラが移動体を撮影した画像情報である、移動体情報提供サーバ。
【請求項６】
移動体を認識する移動体認識装置およびクライアント端末に通信可能に接続された移動体情報提供サーバを用いた移動体情報提供方法であって、
受信手段が、前記移動体認識装置が認識した認識情報であって、前記移動体認識装置から送信されてきた情報を受信するステップと、
識別情報判断手段が、前記認識情報に基づき、移動体の識別情報を判断するステップと、
読出手段が、前記識別情報判断手段により判断された移動体の識別情報に基づき、前記移動体の識別情報に対応づけて移動体情報を記憶した移動体情報データベースから移動体情報を読み出すステップと、
送信手段が、前記読出手段が読み出した移動体情報を前記クライアント端末に送信するステップとを含む、移動体情報提供方法。
【請求項７】
請求項６において、
記憶制御手段が、前記識別情報判断手段が判断した識別情報に対応させて、前記移動体認識装置から送信されてきた認識情報を前記移動体情報データベースに記憶させるステップを含む、移動体情報提供方法。
【請求項８】
移動体を認識する移動体認識装置およびクライアント端末に通信可能に接続された移動体情報提供サーバを用いた移動体情報提供方法であって、
受信手段が、前記移動体認識装置が認識した認識情報であって、前記移動体認識装置から送信されてきた認識情報を受信するステップと、
識別情報判断手段が、前記受信手段が受信した認識情報に基づき、移動体の識別情報を判断するステップと、
送信手段が、前記識別情報判断手段が判断した識別情報を前記クライアント端末に送信するステップとを含む、移動体情報提供方法。
【請求項９】
移動体を認識する移動体認識装置およびクライアント端末に通信可能に接続された移動体情報提供サーバを用いる移動体情報提供方法であって、
第１受信手段が、前記移動体認識装置が認識した認識情報であって、前記移動体認識装置から送信されてきた認識情報を受信するステップと、
識別情報判断手段が、前記第１受信手段から受信した認識情報に基づき、移動体の識別情報を判断するステップと、
記憶制御手段が、前記識別情報判断手段が判断した識別情報に対応させて、前記移動体認識装置から送信されてきた認識情報を移動体情報データベースに記憶させるステップと、
第２受信手段が、前記クライアント端末から送信された情報送信要求および移動体を特定し得る情報を受信するステップと、
読出手段が、前記第２受信手段が受信した移動体を特定し得る情報に基づき、前記移動体情報データベースから該移動体と対応する移動体情報を読み出すステップと、
送信手段が、前記読出手段により読出した移動体情報を前記クライアント端末に送信するステップと、を含む、移動体情報提供方法。
【請求項１０】
前記移動体認識装置は、カメラであり、
前記移動体認識装置が前記移動体情報提供サーバに送信する認識情報は、前記カメラが移動体を撮影した画像情報である、移動体情報提供方法。
【請求項１１】
移動体を認識する移動体認識装置およびクライアント端末に通信ネットワークを介して通信可能に接続された移動体情報提供装置に請求項１〜１０のいずれかに記載の移動体情報提供方法を実行させるプログラム。
【請求項１２】
請求項１１に記載のプログラムを記録した、コンピュータ読み取り可能な情報記憶媒体。
【発明の詳細な説明】
【技術分野】
【０００１】
本発明は、移動体情報を提供することができる移動体情報提供サーバ、移動体情報提供方法、プログラムおよび情報記憶媒体に関する。
【背景技術】
【０００２】
ある顧客の来店情報は、その顧客であることを示す会員登録証や身分証明書などを提示してもらわない限り難しい。つまり、来店した顧客が何か購入しないとその顧客が来店したことを認識するのは難しい。
【０００３】
また、顧客の来店情報をつかむことは、顧客のニーズにあった商品を取り揃えたり、在庫管理する際に特に有用である。
【０００４】
このように顧客の来店情報を把握するのは極めて重要である。
【発明の開示】
【発明が解決しようとする課題】
【０００５】
本発明の目的は、所定の移動体情報をクライアント端末に送信することができる、移動体情報提供サーバ、移動体情報提供方法、プログラムおよび情報記憶媒体を提供することにある。
【課題を解決するための手段および発明の効果】
【０００６】
１．移動体情報提供サーバ
１．１  第１の移動体情報提供サーバ
第１の移動体情報提供サーバは、
移動体を認識する移動体認識装置およびクライアント端末に通信可能に接続された移動体情報提供サーバであって、
前記移動体の識別情報に対応づけて移動体情報を記憶した移動体情報データベースと、
前記移動体認識装置が認識した認識情報であって、前記移動体認識装置から送信されてきた情報を受信する受信手段と、
前記認識情報に基づき、移動体の識別情報を判断する識別情報判断手段と、
前記識別情報判断手段により判断された移動体の識別情報に基づき、前記移動体情報データベースから移動体情報を読み出す読出手段と、
前記読出手段が読み出した移動体情報を前記クライアント端末に送信する送信手段とを含む。
【０００７】
本発明によれば、どのような移動体が移動体認識装置の付近を通過またはその付近に駐車されているかをクライアント端末に知らせることができる。したがって、たとえば、道路や駐車場を管理する者に、どのような移動体が通過しまたは駐車されているかを知らせることができるので、道路や駐車場の管理がしやすくなり、また、その環境に応じた適切な措置を迅速にとることができる。
【０００８】
本発明の一態様として、前記識別情報判断手段が判断した識別情報に対応させて、前記移動体認識装置から送信されてきた認識情報を前記移動体情報データベースに記憶させる記憶制御手段を含むことができる。
【０００９】
１．２  第２の移動体情報提供サーバ
第２の移動体情報提供サーバは、
移動体を認識する移動体認識装置およびクライアント端末に通信可能に接続された移動体情報提供サーバであって、
前記移動体認識装置が認識した認識情報であって、前記移動体認識装置から送信されてきた認識情報を受信する受信手段と、
前記受信手段が受信した認識情報に基づき、移動体の識別情報を判断する識別情報判断手段と、
前記識別情報判断手段が判断した識別情報を前記クライアント端末に送信する送信手段とを含む。
【００１０】
本発明によれば、クライアント端末に対して移動体の識別情報を送信するため、その識別情報に基づいて情報入手者は、移動体認識装置の付近を通過またはその付近に駐車してある移動体を特定することができる。したがって、道路や駐車場を管理する者に、どのような移動体が通過しまたは駐車されているかを知らせることができるので、道路や駐車場の管理がしやすくなり、また、その環境に応じた適切な措置を迅速にとることができる。
【００１１】
１．３  第３の移動体情報提供サーバ
第３の移動体情報提供サーバは、
移動体を認識する移動体認識装置およびクライアント端末に通信可能に接続された移動体情報提供サーバであって、
前記移動体認識装置が認識した認識情報であって、前記移動体認識装置から送信されてきた認識情報を受信する第１受信手段と、
前記第１受信手段から受信した認識情報に基づき、移動体の識別情報を判断する識別情報判断手段と、
前記識別情報判断手段が判断した識別情報に対応させて、前記移動体認識装置から送信されてきた認識情報を移動体情報データベースに記憶させる記憶制御手段と、
前記クライアント端末から送信された情報送信要求および移動体を特定し得る情報を受信する第２受信手段と、
前記第２受信手段が受信した移動体を特定し得る情報に基づき、前記移動体情報データベースから該移動体と対応する移動体情報を読み出す読出手段と、
前記読出手段により読出した移動体情報を前記クライアント端末に送信する送信手段と、を含む。
【００１２】
本発明によれば、移動体情報提供サーバは、クライアント端末の要求に応じて所定の移動体情報をそのクライアント端末に送信することができる。この移動体情報には、移動体認識装置が認識した認識情報も含むため、この情報の入手者は、どのような移動体が通過しまたは駐車されているかを知ることができるので、道路や駐車場の管理がしやすくなり、また、その環境に応じた適切な措置を迅速にとることができる。
【００１３】
上記の第１〜第３の移動体情報提供サーバにおいて、前記移動体認識装置は、カメラであり、前記移動体認識装置が前記移動体情報提供サーバに送信する認識情報は、前記カメラが移動体を撮影した画像情報とすることができる。
２．移動体情報提供方法
２．１  第１の移動体情報提供方法
第１の移動体情報提供方法は、
移動体を認識する移動体認識装置およびクライアント端末に通信可能に接続された移動体情報提供サーバを用いた移動体情報提供方法であって、
受信手段が、前記移動体認識装置が認識した認識情報であって、前記移動体認識装置から送信されてきた情報を受信するステップと、
識別情報判断手段が、前記認識情報に基づき、移動体の識別情報を判断するステップと、
読出手段が、前記識別情報判断手段により判断された移動体の識別情報に基づき、前記移動体の識別情報に対応づけて移動体情報を記憶した移動体情報データベースから移動体情報を読み出すステップと、
送信手段が、前記読出手段が読み出した移動体情報を前記クライアント端末に送信するステップとを含む。
【００１４】
本発明の一態様として、記憶制御手段が、前記識別情報判断手段が判断した識別情報に対応させて、前記移動体認識装置から送信されてきた認識情報を前記移動体情報データベースに記憶させるステップを含むことができる。
【００１５】
２．２  第２の移動体情報提供方法
第２の移動体情報提供方法は、
移動体を認識する移動体認識装置およびクライアント端末に通信可能に接続された移動体情報提供サーバを用いた移動体情報提供方法であって、
受信手段が、前記移動体認識装置が認識した認識情報であって、前記移動体認識装置から送信されてきた認識情報を受信するステップと、
識別情報判断手段が、前記受信手段が受信した認識情報に基づき、移動体の識別情報を判断するステップと、
送信手段が、前記識別情報判断手段が判断した識別情報を前記クライアント端末に送信するステップとを含む。
【００１６】
２．３  第３の移動体情報提供方法
第３の移動体情報提供方法は、
移動体を認識する移動体認識装置およびクライアント端末に通信可能に接続された移動体情報提供サーバを用いる移動体情報提供方法であって、
第１受信手段が、前記移動体認識装置が認識した認識情報であって、前記移動体認識装置から送信されてきた認識情報を受信するステップと、
識別情報判断手段が、前記第１受信手段から受信した認識情報に基づき、移動体の識別情報を判断するステップと、
記憶制御手段が、前記識別情報判断手段が判断した識別情報に対応させて、前記移動体認識装置から送信されてきた認識情報を移動体情報データベースに記憶させるステップと、
第２受信手段が、前記クライアント端末から送信された情報送信要求および移動体を特定し得る情報を受信するステップと、
読出手段が、前記第２受信手段が受信した移動体を特定し得る情報に基づき、前記移動体情報データベースから該移動体と対応する移動体情報を読み出すステップと、
送信手段が、前記読出手段により読出した移動体情報を前記クライアント端末に送信するステップと、を含む。
【００１７】
上記の第１〜第３の移動体情報提供方法において、前記移動体認識装置は、カメラであり、前記移動体認識装置が前記移動体情報提供サーバに送信する認識情報は、前記カメラが移動体を撮影した画像情報とすることができる。
【００１８】
３．プログラム
本発明のプログラムは、移動体を認識する移動体認識装置およびクライアント端末に通信ネットワークを介して通信可能に接続された移動体情報提供装置に上述の本発明の移動体情報提供方法を実行させるものである。
【００１９】
４．情報記憶媒体
本発明の情報記憶媒体は、本発明のプログラムを記録した、コンピュータ読み取り可能な情報記憶媒体である。
【発明を実施するための最良の形態】
【００２０】
以下、本発明に係る実施の形態について図面を参照しながら説明する。
【００２１】
１．１  第１の実施の形態
１．全体構成
図１は、移動体情報提供システムを模式的に示す図である。図２は、移動体情報提供サーバの構成例を示す。
【００２２】
移動体情報提供サーバ１０は、図１に示すように、通信ネットワーク４０を（たとえばインターネット、イントラネット）を介して、移動体認識装置２０およびクライアント端末３０に通信可能に接続されている。
【００２３】
移動体情報提供サーバ１０は、移動体認識装置２０が認識した認識情報に基づき、クライアント端末３０に移動体識別情報または移動体情報を提供したり、または、クライアント端末３０からの要求に応じて、その要求に合った移動体情報をクライアント端末３０に送信するものである。
【００２４】
移動体情報提供サーバ１０は、図２に示すように、処理部１２と、送受信部１４と、入力部１６と、記憶部１８と、情報記憶媒体１９とを含む。
【００２５】
処理部１２は、識別情報判断手段１２ａと、読出手段１２ｂと、記憶制御手段１２ｃと、位置判断手段１２ｄとを含む。この処理部１２の機能は、プロセッサ（ＣＰＵ）により実現することができる。
【００２６】
識別情報判断手段１２ａは、移動体認識装置２０が認識した認識情報に基づき、移動体の識別情報を判断するものである。具体的には、移動体が自動車や自動二輪車の車両の場合であって、移動体認識装置２０がナンバープレートを含むように車両を撮影した場合には、識別情報判断手段１２ａが、そのナンバープレートの画像情報に基づいて、そのナンバー（移動体の識別情報）を判断する。
【００２７】
読出手段１２ｂは、識別情報判断手段１２ａにより判断された移動体の識別情報またはクライアント端末３０から送信された移動体を特定し得る情報に基づき、移動体情報データベース１８ａから移動体情報を読み出すものである。
【００２８】
記憶制御手段１２ｃは、移動体情報データベース１８ａの移動体情報の記憶情報を追加、変更または削除の制御をするものである。入力部により入力された情報（たとえば操作者が入力した情報）や、情報管理システム（ＰＯＳ（販売時点情報管理システム））から取得した情報に基づいて、記憶制御手段１２ｃが移動体情報データベース１８ａを変更することができる。また、通信ネットワーク４０を介して送信されてきた情報を受信手段１４ａが受信し、記憶制御手段１２ｃがその情報に基づいて、移動体情報データベース１８ａの情報を変更、追加してもよい。また、移動体認識装置２０が送信してきた認識情報から種々の情報を処理部１２により処理し、その情報を記憶制御手段１２ｃにより、移動体情報データベース１８ａに記憶してもよい。
【００２９】
位置判断手段１２ｄは、移動体の位置を判断する手段である。この位置判断手段１２ｄによる位置判断は、たとえば、移動体認識装置２０から認識情報が送信されてきた場合に、その移動体認識装置２０を特定し、その移動体認識装置２０の位置を判断することを通じて行うことができる。この場合、移動体認識装置の位置を記憶部に記憶しておく必要がある。なお、移動体認識装置２０が、その位置情報を移動体情報提供サーバ１０に送信する場合には、位置判断するに当たって、この位置判断手段１２ｄは必須なものではない。位置判断手段１２ｄが移動体の位置を判断した後、記憶制御手段１２ｃにより移動体情報データベース１８ａの移動体の活動情報にその位置を追加することができる。
【００３０】
送受信部１４は、受信手段１４ａと、送信手段１４ｂとを含む。受信手段１４ａは、通信ネットワーク４０を通じて送信されてきた情報を受信することができるものであれば特に限定されず、公知のものを適用することができる。送信手段１４ｂは、通信ネットワークに情報を送信することができるものであれば特に限定されず、公知のものを適用することができる。
【００３１】
入力部１６は、データを入力するためのものである。入力部１６は、操作部１６ａを含む。操作部１６ａは、操作者がデータを入力するためのものである。操作部１６ａの機能は、キーボード、マウスなどにより実現することができる。データ取得手段１６ｂは、データを取得することができるものであれば特に限定されない。
【００３２】
記憶部１８は、移動体情報データベース１８ａを含む。図３は、移動体情報データベース１８ａの内容の一例を示す。移動体情報データベース１８ａは、移動体の識別情報に対応づけて移動体情報が記憶されている。移動体の識別情報は、移動体を識別し得る情報であれば特に限定されない。移動体が自動車や自動二輪車などの車両の場合には、車両のナンバーとすることができる。また、移動体情報は、移動体に関する情報であるが、たとえば、移動体の車名、移動体の種類、移動体の車検時期、移動体の製造時期、移動体の活動情報（車両の通過位置や駐車情報）、移動体利用者情報（たとえば氏名、年齢、職業）、車名、製造メーカー、車色、盗難情報が挙げられる。記憶部１８の機能は、公知の記憶手段、たとえばＲＡＭ（Random Access Memory）や、ハードディスクなどで実現することができる。
【００３３】
情報記憶媒体１９は、プログラム、たとえば、移動体情報提供サーバ１０の機能を実現するためのプログラムや、文字を読み取るためのソフトウェアなどの情報を記憶させるものである。情報記憶媒体１９の機能は、たとえば、光ディスク（ＣＤ、ＤＶＤ）、光磁気ディスク（ＭＯ）、磁気ディスク、ハードディスク、磁気テープ、またはメモリ（ＲＯＭ）などのハードウェアにより実現できる。移動体情報提供サーバ１０の動作を実現するためのプログラムは、一般に、ＲＯＭに格納される。
【００３４】
次に、移動体認識装置２０について説明する。移動体認識装置２０は、移動体を認識する装置である。具体的には、移動体認識装置２０は、たとえば、移動体の画像情報を取得するカメラ（たとえばＷＥＢカメラ）とすることができる。この移動体認識装置２０は、移動体情報提供サーバ１０に、移動体認識装置２０が認識した情報を送信することができる送信手段（図示せず）を含む。移動体認識装置２０は、たとえば、道路、駐車場の入り口に設置することができる。この駐車場としては、特に限定されないが、たとえば車両の入出庫が行われる事業所、より具体的には、運送業者の事業所、コンビニエンスストア、車販店、道沿いにある店舗、警察、ホテルなどを挙げることができる。
【００３５】
次に、クライアント端末３０について説明する。図４は、クライアント端末の構成例を示す。クライアント端末３０は、処理手段３０ａと、送信手段３０ｂと、受信手段３０ｃと、入力手段３０ｄと、出力手段３０ｅとを含む。クライアント端末３０は、たとえば、移動電話（たとえば携帯電話、ＰＨＳ（Personal Handy phonesystem））、パーソナルコンピュータ、ＰＤＡ（携帯端末）などからなることができる。
【００３６】
処理手段３０ａは、種々の情報の処理や、送信手段３０ｂ、受信手段３０ｃおよび出力手段３０ｅを制御するためのものである。
【００３７】
送信手段３０ｂは、移動体情報提供サーバ１０に移動体情報の送信要求を送信するためのものである。送信手段３０ｂは、公知のものを適用することができる。
【００３８】
受信手段３０ｃは、移動体情報提供サーバ１０から送信されてきた移動体情報を受信するためのものである。受信手段３０ｃは、公知のものを適用することができる。
【００３９】
入力手段３０ｄは、操作者がデータを入力するためのものである。これにより、操作者が移動体情報の送信要求を入力したり、移動体を特定し得る情報を入力することができる。
【００４０】
出力手段３０ｅは、移動体情報提供サーバ１０から送信されてきた移動体情報を出力するものである。具体的には、出力手段３０ｅは、表示手段や、音波を出力する装置（スピーカー）とすることができる。表示手段は、移動体情報を表示することができるものであれば特に限定されず、たとえばディスプレイ（液晶ディスプレイ、プラズマディスプレイ、有機ＥＬディスプレイ）、ＣＲＴを挙げることができる。
【００４１】
２．動作
以下、本実施の形態の動作を説明する。
【００４２】
２．１  第１動作例
第１動作例について説明する。図５は、第１動作例のフロチャートを示す。
【００４３】
まず、移動体認識装置２０が移動体を認識する（Ｓ１０）。具体的には、移動体認識装置２０がカメラからなる場合には、ナンバープレートが写るように移動体（たとえば車両）を撮影する。
【００４４】
次に、移動体認識装置２０が認識した認識情報を移動体情報提供サーバ１０に送信する（Ｓ１２）。具体的には、移動体認識装置２０が撮影した画像情報を移動体情報提供サーバ１０に送信する。
【００４５】
次に、移動体情報提供サーバ１０が認識情報を受信すると（Ｓ１４）、識別情報判断手段１２ａがその認識情報に基づき移動体の識別情報を判断する（Ｓ１６）。具体的には、識別情報判断手段１２ａは、ナンバープレートが写った画像に基づき、移動体の識別情報としてのナンバーを判断する。
【００４６】
次に、読出手段１２ｂが、移動体の識別情報（ナンバー）に基づき、移動体情報データベース１８ａから対応する移動体情報を読み出す（Ｓ１８）。ここで読み出される移動体情報は、すべての情報であっても、一部の情報であってもよい。
【００４７】
次に、読出手段１２ｂが読み出した移動体情報をクライアント端末３０に送信する（Ｓ２０）。なお、この際、移動体認識装置２０から送信されてきた移動体の認識情報（画像情報）をあわせてクライアント端末３０に送信してもよい。また、移動体情報のクライアント端末３０への送信は、移動体認識装置２０から認識情報を受信した後すぐに送信（リアルタイム送信）してもよいし、所定時間ごとに送信してもよい。または、クライアント端末３０からの要求があってから移動体情報をクライアント端末３０に送信してもよい。
【００４８】
次に、クラインアント端末３０の受信手段３０ｃが移動体情報を受信すると、その移動体情報を出力手段３０ｅにより出力する。具体的には、移動体情報を音波出力装置（スピーカー）により音声情報として出力する（たとえば、「その車両は○○様で来月車検です。」という音声情報をスピーカーにより出力する。）。または、表示手段に移動体情報を表示してもよい。
【００４９】
２．２  第２動作例
以下、第２動作例について説明する。図６は、第２動作例のフロチャートを示す。
【００５０】
まず、クライアント端末３０の送信手段３０ｂが、移動体情報提供サーバ１０に対して、移動体を特定し得る情報および移動体情報の取得要求を送信する。移動体を特定し得る情報としては、送信して欲しい移動体情報に係る移動体を特定できる情報であれば特に限定されず、たとえば移動体の利用者情報、移動体の識別情報を挙げることができる。
【００５１】
次に、移動体情報提供サーバ１０の受信手段１４ａが移動体を特定し得る情報および移動体情報の取得要求を受信すると、読出手段１２ｂが対応する移動体情報を移動体情報データベース１８ａから読み出す。次に、読み出された移動体情報を送信手段１４ｂがクライアント端末３０に送信する。
【００５２】
次に、クライアント端末３０の受信手段３０ｃが移動体情報を受信すると、出力手段３０ｅに移動体情報を出力する。具体的には、スピーカーなどの音波出力装置により音声情報を出力したり、または、表示手段に移動体情報を出力する。クライアント端末３０に送信する移動体情報は、特に限定されないが、たとえば移動体利用車情報と車両情報との組み合わせや、車両活動情報とすることができる。
【００５３】
この際、移動体情報提供サーバ１０に移動体の画像情報を記憶している場合には、その画像情報をクライアント端末に送信してもよい。
【００５４】
また、この動作例の具体例としては、クライアントがその端末を通じて、所定の期間（たとえば１ヶ月）内に、どういう車両がきた日時の情報が欲しいという情報を移動体情報提供サーバに送信すると、その情報を移動体情報提供サーバの読み出し手段が読み出し、クライアント端末３０に送信することができる。
【００５５】
３．作用効果
以下、本実施の形態の作用効果を説明する。
【００５６】
本実施の形態によれば、移動体情報提供サーバ１０が移動体の認識情報に基づき、移動体の識別情報を判断し、その識別情報に基づいてデータベースから移動体情報を読出し、読み出された移動体情報をクライアント端末３０に送信することができる。これにより、どのような移動体が移動体認識装置２０の付近を通過または駐車されているかをクライアント端末３０に知らせることができる。したがって、道路や駐車場を管理する者に、どのような移動体が通過しまたは駐車されているかを知らせることができるので、道路や駐車場の管理がしやすくなり、また、その環境に応じた適切な措置を迅速にとることができる。
【００５７】
また、移動体認識装置を店舗の駐車場に設定することで、店舗の駐車場に入庫した車両を知ることができる。したがって、車により来店した顧客であって、何も購入しなかった顧客の来店情報を知ることができる。
【００５８】
また、入庫と同時に、クライアント端末３０にその車両の情報を送信することで、店側は、その移動体の所有者の情報を知ることができるので、きめ細やかなサービスを行うことができる。
【００５９】
さらに、盗難車がこの移動体認識装置により撮影された場合には、クライアント端末にこの盗難車の活動情報が移動体情報データベースに蓄積され、かつ、その情報が所定のクライアント端末３０に送信されるため、盗難車の行方を知ることができる。その結果、本実施の形態は、盗難対策にも有用である。
【００６０】
また、特定の車種だけをある地域に入れる際にも有用である。すなわち、移動体認識装置をその地域の手前に設置しておき、人が検問をしなくてもその車両がその地域に入ることができるものかどうか判断することができる。
【００６１】
また、車両に傷がついている場合に、その情報を移動体情報提供データベースに記憶しておき、所定の修理会社のクライアント端末に送信しておくことで、その修理会社はあらかじめ修理の準備をすることができる。
【００６２】
また、車両の活動情報は、保険料査定の際に特に有用である。
【００６３】
本発明は、上記の実施の形態に限定されず、本発明の要旨を超えない範囲で種々の変更が可能である。
【００６４】
クライアント端末３０が取得権限があるかどうか判断してから、移動体情報を発信するようにしてもよい。この場合には、クライアント端末３０が自己の識別番号（ＩＤ）およびパスワードを移動体情報提供サーバ１０に送信し、その情報に基づいて移動体情報提供サーバ１０がクライアント端末３０において取得権限があるかどうか判断して、あると判断した場合にのみ移動体情報を送信してもよい。
【図面の簡単な説明】
【００６５】
【図１】移動体情報提供システムを模式的に示す図である。
【図２】移動体情報提供サーバの構成例を示す。
【図３】移動体情報データベース１８ａの内容の一例を示す。
【図４】クライアント端末の構成例を示す。
【図５】第１動作例のフロチャートを示す。
【図６】第２動作例のフロチャートを示す。
【符号の説明】
【００６６】
１０    移動体情報提供サーバ
１２    処理部
１２ａ  識別情報判断手段
１２ｂ  読出手段
１２ｃ  記憶制御手段
１２ｄ  位置判断手段
１４    送受信部
１４ａ  送信手段
１４ｂ  受信手段
１６    入力部
１６ａ  操作部
１６ｂ  データ取得手段
１８    記憶部
１８ａ  移動体情報データベース
１９    情報記憶媒体
２０    移動体認識装置
３０    クライアント端末
３０ａ  処理手段
３０ｂ  送信手段
３０ｃ  受信手段
３０ｄ  入力手段
３０ｅ  出力手段
４０    通信ネットワーク
１００  移動体情報提供システム
【図１】
2006031224.tif 000003
【図２】
2006031224.tif 000004
【図３】
2006031224.tif 000005
【図４】
2006031224.tif 000006
【図５】
2006031224.tif 000007
【図６】
2006031224.tif 000008